(57)【特許請求の範囲】
【請求項１】
枕梁を介して又は枕梁を介さずにヨーイング方向に車体を回動可能に支持する台車枠と、
車幅方向に沿って延びる車軸及び前記車軸の両側に設けられた車輪をそれぞれ有し、車両長手方向に離間して配置される一対の輪軸と、
前記各車軸を支持する軸受を収容する一対の軸箱と、
前記各軸箱から延びて、弾性部材を介して前記台車枠に連結される軸梁を有する一対の軸箱支持装置と、
前記車体に対する前記台車枠の回動に連動し、前記軸梁を介して前記各軸箱を変位させることで前記各輪軸を操舵するリンク機構と、を備え、
前記リンク機構は、
前記台車枠の車両長手方向中央よりも一方の軸箱寄りに配置される第１テコ部材と、
前記台車枠の車両長手方向中央よりも他方の軸箱寄りに配置される第２テコ部材と、
前記第１テコ部材よりも前記台車枠の車両長手方向中央寄りに配置され、前記台車枠の車両長手中央部を避けて車両長手方向に延びる第１連結リンクと、
前記第２テコ部材よりも前記台車枠の車両長手方向中央寄りに配置され、前記台車枠の車両長手中央部を避けて車両長手方向に延びる第２連結リンクと、を有し、
前記第１連結リンクは、前記枕梁又は前記車体と前記第１テコ部材とを連結し、
前記第２連結リンクは、前記枕梁又は前記車体と前記第２テコ部材とを連結し、
前記第１テコ部材は、前記第１連結リンク及び前記軸梁に連結されて、前記台車枠に支持された支点部を中心に回動して前記輪軸を操舵し、
前記第２テコ部材は、前記第２連結リンク及び前記軸梁に連結されて、前記台車枠に支持された支点部を中心に回動して前記輪軸を操舵する、鉄道車両用の操舵台車。
【請求項２】
前記台車枠の車幅方向両端部を支持した状態で車両長手方向に延びて、その車両長手方
向両端部が前記軸箱に支持された板バネを備える、請求項１に記載の鉄道車両用の操舵台車。
【請求項３】
前記一対の輪軸は、前記車両の車両長手方向中央寄りに位置する第１輪軸と、前記車両の車両長手方向端部寄りに位置する第２輪軸と、を有し、
前記第１テコ部材は、上下方向に沿って延びており、その上端部が前記第１連結リンクに連結され、その下端部が前記支点部として前記台車枠に支持されており、前記上端部と前記下端部との間で前記第１輪軸に対応する軸梁に連結されている、請求項１又は２に記載の操舵台車。
【請求項４】
前記一対の輪軸は、前記車両の車両長手方向中央寄りに位置する第１輪軸と、前記車両の車両長手方向端部寄りに位置する第２輪軸と、を有し、
前記第２テコ部材は、上下方向に沿って延びており、その上端部が前記第２連結リンクに連結され、その下端部が前記第２輪軸に対応する軸梁に連結され、前記上端部と前記下端部との間の部分が前記支点部として前記台車枠に支持されている、請求項１又は２に記載の操舵台車。
【請求項５】
前記リンク機構は、前記車輪よりも車幅方向内側に配置されている、請求項１乃至４のうちいずれか一の項に記載の操舵台車。
【請求項６】
前記軸梁は、前記リンク機構に連結部材を介して連結されるリンク連結部と、前記台車枠に前記弾性部材を介して回動軸周りに回動可能に連結される台車枠連結部と、を有し、
前記連結部材は、前記回動軸と同心で、かつ車幅方向にオフセットした位置に配置される、請求項１乃至５のうちいずれか一の項に記載の操舵台車。
【発明の詳細な説明】
【技術分野】
【０００１】
本発明は、鉄道車両用の操舵台車に関する。
【背景技術】
【０００２】
鉄道車両がカーブを通過する際、台車枠は車体に対してヨーイング方向に回動する。特許文献１では、この現象を利用し、車体に対する台車枠の回動に連動して輪軸を操舵するリンク式の操舵台車が開示されている（特許文献１の図４参照）。
【先行技術文献】
【特許文献】
【０００３】
【特許文献１】特開平１０−２２６３３３号公報
【発明の概要】
【発明が解決しようとする課題】
【０００４】
ところで、台車枠の車両長手方向中央部分には、台車枠自体や台車の構成部品の他、車体側の機器や配線などが配置される。ところが、特許文献１で開示されているようなリンク式の操舵台車は、リンク機構の構成部材が台車枠の車両長手方向中央部分に位置するため、他の構成部品等と干渉しやすく、設計自由度が低いという問題があった。
【０００５】
上記の操舵台車は、カーブを通過する際、輪軸のみならず台車枠にも遠心力が加わり、外軌側の車輪に横圧が作用する。横圧が作用すると、これに対する反力を台車枠側で支持する必要があり、これを上記の操舵台車のリンク機構によって支持するためには、その強度を大きくする必要がある。そのため、リンク機構自体の重量が大きくなり、また構造も複雑になるという問題がある。
【０００６】
本発明は、このような事情に鑑みてなされたものであって、リンク機構と他の構成部品等が干渉しにくく、設計自由度が高いリンク式の操舵台車を提供することを目的としている。
【課題を解決するための手段】
【０００７】
本発明の一態様に係る操舵台車は、枕梁を介して又は枕梁を介さずにヨーイング方向に車体を回動可能に支持する台車枠と、車幅方向に沿って延びる車軸及び前記車軸の両側に設けられた車輪をそれぞれ有し、車両長手方向に離間して配置される一対の輪軸と、前記各車軸を支持する軸受を収容する軸箱と、前記軸箱から延びて、弾性部材を介して前記台車枠に連結される軸梁を有する軸箱支持装置と、前記車体に対する前記台車枠の回動に連動し、前記軸梁を介して前記軸箱を変位させることで少なくとも一方の前記輪軸を操舵するリンク機構と、を備え、前記リンク機構は、前記台車枠の車両長手方向中央よりも前記軸箱寄りに配置されるテコ部材と、前記テコ部材よりも前記台車枠の車両長手方向中央寄りに配置される連結リンクと、を有し、前記連結リンクは、前記枕梁又は前記車体と前記テコ部材とを連結し、前記テコ部材は、前記連結リンク及び前記軸梁に連結されて、前記台車枠に支持された支点部を中心に回動して前記輪軸を操舵する。
【０００８】
この操舵台車によれば、テコ部材を軸箱寄りに配置することができるとともに、連結リンクを比較的高い位置に配置することができる。つまり、他の構成部品等が配置されやすい台車枠の車両長手方向中央部分を回避するようにして、リンク機構の構成部材であるテコ部材と連結リンクを配置することができる。そのため、リンク機構と他の構成部品等が干渉しにくく、設計自由度を向上させることができる。
【発明の効果】
【０００９】
上記の構成によれば、リンク機構と他の構成部品等が干渉しにくく、設計自由度を向上させることができる。
【図面の簡単な説明】
【００１０】
【図１】図１は、第１実施形態に係る操舵台車の左側面図である。
【図２】図２は、第１実施形態に係る操舵台車の右側面図である。
【図３】図３は、図１で示す軸梁の水平断面図である。
【図４】図４は、第２実施形態に係る操舵台車の左側面図である。
【図５】図５は、図４で示す軸梁の水平断面図である。
【図６】図６は、第３実施形態に係る操舵台車の左側面図である。
【図７】図７は、第４実施形態に係る操舵台車の左側面図である。
【発明を実施するための形態】
【００１１】
以下、実施形態について図を参照しながら説明する。以下では、全ての図面を通じて同一又は相当する要素には同じ符号を付して、重複する説明は省略する。
【００１２】
（第１実施形態）
はじめに、第１実施形態に係る操舵台車１００について説明する。図１は第１実施形態に係る操舵台車１００の左側面図であり、図２は、第１実施形態に係る操舵台車１００の右側面図である。以下では、図１の紙面左を操舵台車１００の「前」、紙面右を操舵台車１００の「後」、紙面手前を操舵台車１００の「左」、紙面奥を操舵台車１００の「右」として説明する。図２においては、紙面右、左、手前、及び奥が、それぞれ操舵台車１００の前、後、右、左となる。
【００１３】
操舵台車１００は、車体１０１の車両長手方向中央よりも前方と後方にそれぞれ配置される。両操舵台車１００は前後方向の向きが逆であるが構成は同じである。したがって、図１及び図２に示す操舵台車１００は、車体１０１の車両長手方向中央よりも前方に配置されるものとして説明する。図１において、紙面右側が車両長手方向中央側であり、紙面左側が車両長手方向端部側である（図４、６、７においても同じ）。以下では、車体１０１の車両長手方向中央よりも前方に配置される操舵台車１００について説明し、車体１０１の車両長手方向中央よりも後方に配置される操舵台車１００についての説明は省略する（他の実施形態においても同じ）。
【００１４】
図１及び図２で示すように、操舵台車１００は、左右対称に構成されており、台車枠１０と、第１輪軸３１と、第２輪軸３２と、第１軸箱４１と、第２軸箱４２と、第１軸箱支持装置５１と、第２軸箱支持装置５２と、リンク機構７０と、を備えている。以下、これらの各構成要素について順に説明する。
【００１５】
＜台車枠＞
台車枠１０は、車両長手方向に沿って延びる左右一対の側梁１１と、車幅方向に沿って延び、左右の側梁１１をつなぐ横梁１２と、を有している。本実施形態の操舵台車１００は、いわゆるボルスタ（枕梁）付き台車であって、車幅方向に延びる枕梁１３を備えている。台車枠１０の横梁１２は、支持軸１４を介して、枕梁１３をヨーイング方向に回動可能に支持している。また、枕梁１３は、二次サスペンションとなる空気バネ１５を介して車体１０１を支持している（枕梁１３は車体１０１とともに回動する）。つまり、台車枠１０は、枕梁１３を介して車体１０１をヨーイング方向に回動可能に支持している。
【００１６】
側梁１１は、車両長手方向中央部分が下方に窪んだ側梁本体１６と、側梁本体１６の下方であって側梁本体１６の車両長手方向中央部分の後側に位置する第１延在部１７と、側梁本体１６の下方であって側梁本体１６の車両長手方向中央部分の前側に位置する第２延在部１８と、を有している。また、第１延在部１７の下端には、Ｌ字状の第１支持ブラケット１９が設けられている。さらに、側梁本体１６の第２延在部１８の上方にあたる部分には第２支持ブラケット２０が設けられている。
【００１７】
＜輪軸＞
第１輪軸３１は車両長手方向中央寄り（紙面右側）に位置する輪軸であり、第２輪軸３２は車両長手方向端部寄り（紙面左側）に位置する輪軸であり、第１輪軸３１及び第２輪軸３２は車両長手方向に離間して対を成すようにして配置されている。第１輪軸３１及び第２輪軸３２は、いずれも車幅方向に沿って延びる車軸３３と、車軸３３の左右両側に設けられた車輪３４と、を有している。
【００１８】
＜軸箱＞
第１軸箱４１は、第１輪軸３１の左右両側に配置されており、第１輪軸３１の車軸３３を支持する軸受４３を収容している。第２軸箱４２は、第２輪軸３２の左右両側に配置されており、第２輪軸３２の車軸３３を支持する軸受４３を収容している。また、第１軸箱４１は一次サスペンションであるコイルバネ４４を介して側梁１１の前端部分を支持しており、第２軸箱４２は同じく一次サスペンションであるコイルバネ４４を介して側梁１１の後端部分を支持している。
【００１９】
＜軸箱支持装置＞
第１軸箱支持装置５１は左右の第１軸箱４１を支持する装置であり、第１軸箱４１から台車枠１０の車両長手方向中央に向かって延びる第１軸梁５３を有している。第２軸箱支持装置５２は左右の第２軸箱４２を支持する装置であり、第２軸箱４２から台車枠１０の車両長手方向中央に向かって延びる第２軸梁５４を有している。
【００２０】
図３は、左側の第１軸梁５３の断面図である。図３において、紙面左が操舵台車１００の「左」、紙面右が操舵台車１００の「右」、紙面上が操舵台車１００の「前」、紙面下が操舵台車１００の「後」である（図５においても同じ）。
【００２１】
図３に示すように、第１軸梁５３は、台車枠１０に連結する台車枠連結部５５と、リンク機構７０に連結するリンク連結部５６と、を有している。台車枠連結部５５は、先端に環状の係合部５７を有している。係合部５７は、中心に向かうに従って車両幅方向寸法が小さくなるように形成されている。また、側梁１１の第１延在部１７には、係合部５７の内側を貫通する回動軸２１が設けられている。回動軸２１は、車両幅方向に延びる回転軸周りに回動し、断面Ｖ字状の外周溝２２が形成されている。
【００２２】
係合部５７と外周溝２２との間には弾性部材２３が挿入されている。弾性部材２３は、係合部５７の側面と外周溝２２の側面の間に位置する２つの環状部２４を有している。これに対し、係合部５７の内側先端と外周溝２２の底部との間には弾性部材２３は位置していない。そのため、係合部５７は外周溝２２に対して車両長手方向には変位しやすいものの車両幅方向には変位しにくい。つまり、弾性部材２３は、第１軸梁５３の台車枠１０に対する車両幅方向の変位許容量が、車両長手方向の変位許容量よりも小さくなるように構成されている。
【００２３】
なお、弾性部材２３は、上記のような構成に限られない。例えば、弾性部材２３は、筒状の形状を有しており、係合部５７の側面と外周溝２２の側面の間に位置する部分を薄くして変形しにくくするととともに、係合部５７の内側先端と外周溝２２の底部との間に位置する部分を厚くして変形しやすいように構成してもよい。この場合であっても、第１軸梁５３の台車枠１０に対する車両幅方向の変位許容量が、車両長手方向の変位許容量よりも小さくなる。
【００２４】
リンク連結部５６は、前方先端に円柱状の連結部材５８を有している。リンク連結部５６は、この連結部材５８を介して、後述するリンク機構７０の第１テコ部材７２と回動可能に連結されている。連結部材５８は、上述した弾性部材２３よりも車幅方向外側（左側）にオフセットした位置に配置されている。さらに、連結部材５８と弾性部材２３は互いに同心となるように配置されている。換言すると、連結部材５８は、回動軸２１と同心であり、車幅方向にオフセットした位置に配置される。これにより、曲線通過時に、車輪３４に作用する横圧に対する反力を、弾性部材２３が支持することができるため、リンク機構７０に生じる荷重を抑制することができる。
【００２５】
左側の第１軸梁５３の構成は上記のとおりである。なお、右側の第１軸梁５３は、左側の第１軸梁５３と左右が逆に構成されているが、それ以外は同じ構成である。左側の第２軸梁５４は、左側の第１軸梁５３と前後が逆に構成されているが、それ以外は同じ構成である。ただし、左側の第２軸梁５４は、第１テコ部材７２ではなく、第２テコ部材７４と連結されている。右側の第２軸梁５４は、左側の第２軸梁５４と左右が逆に構成されているが、それ以外は同じ構成である。以上のように、構造上、左右の第１軸梁５３が左右対称の関係にあり、第１軸梁５３及び第２軸梁５４が前後対称の関係にある。この点は後述する他の実施形態においても同じである。
【００２６】
＜リンク機構＞
リンク機構７０は、車体１０１に対する台車枠１０の回動に連動して第１輪軸３１及び第２輪軸３２を操舵する機構である。本実施形態のリンク機構７０は、第１連結リンク７１と、第１テコ部材７２と、第２連結リンク７３と、第２テコ部材７４と、を有している。
【００２７】
第１連結リンク７１は、枕梁１３の後端に設けられた第１リンク受７５に回動可能に連結されており、車両長手方向に沿って枕梁１３から後方に向かって延びている。第１連結リンク７１は、第１テコ部材７２よりも台車枠１０の車両長手方向中央寄りに配置されており、第１テコ部材７２の上端部と回動可能に連結されている。
【００２８】
第１テコ部材７２は、上下方向に沿って延びており、台車枠１０の車両長手方向中央よりも第１軸箱４１寄りに位置している。第１テコ部材７２は、下端部が第１支持ブラケット１９に回動可能に支持され、車軸３３より下方に位置する第１支点部７６を中心に回動する。また、第１テコ部材７２は、上端部と下端部との間の部分において、第１軸梁５３のリンク連結部５６に連結されている。
【００２９】
第２連結リンク７３は、枕梁１３の前端に設けられた第２リンク受７７に回動可能に連結されており、車両長手方向に沿って枕梁１３から前方に向かって延びている。第２連結リンク７３は、第２テコ部材７４よりも台車枠１０の車両長手方向中央寄りに配置されており、第２テコ部材７４の上端部と回動可能に連結されている。
【００３０】
第２テコ部材７４は、上下方向に沿って延びており、台車枠１０の車両長手方向中央よりも第２軸箱４２寄りに配置されている。第２テコ部材７４の下端部は、第２軸梁５４のリンク連結部５６に連結されている。第２テコ部材７４は、上端部と下端部との間の部分が第２支持ブラケット２０に回動可能に支持され、車軸３３より上方に位置する第２支点部７８を中心に回動する。
【００３１】
＜操舵動作＞
次に、上述した操舵台車１００による操舵動作について説明する。ここでは、鉄道車両が左カーブを通過する場合について説明する。なお、前述したように、操舵台車１００は、車体１０１の車両長手方向中央よりも前方に配置されている。鉄道車両が左カーブを通過する際、上方から見て操舵台車１００は車体１０１（及び枕梁１３）に対して反時計回りに回動する。なお、後方の操舵台車１００は、前方の操舵台車１００とは逆の動きとなる。すなわち、後方の操舵台車１００は、上方から見て車体１０１に対して時計回りに回動することになるので、前方の操舵台車を１８０°反転させた配置関係となる。
【００３２】
このとき、図１に示す左側のリンク機構７０では、第１連結リンク７１及び第２連結リンク７３が台車枠１０に対して前方に移動する（図１中の矢印参照）。これにより、第１テコ部材７２は、図１において反時計方向に回動し、第１軸梁５３を介して第１輪軸３１を前方へ変位させる。また、第２テコ部材７４は、反時計方向に回動し、第２軸梁５４を介して第２輪軸３２を後方に移動させる。これにより、操舵台車１００の左側においては、第１輪軸３１と第２輪軸３２が近づくことになる。
【００３３】
一方、図２に示す右側のリンク機構７０では、第１連結リンク７１及び第２連結リンク７３は台車枠１０に対して後方に移動する（図２中の矢印参照）。これにより、第１テコ部材７２は、図２において反時計方向に回動し、第１軸梁５３を介して第１輪軸３１を後方へ変位させる。また、第２テコ部材７４は、反時計方向に回動し、第２軸梁５４を介して第２輪軸３２を前方に移動させる。これにより、操舵台車１００の右側においては、第１輪軸３１と第２輪軸３２が離れることになる。
【００３４】
以上のとおり、鉄道車両が左カーブを通過する際、第１輪軸３１及び第２輪軸３２は操舵台車１００の左側では近づき、右側では離れる。つまり、第１輪軸３１及び第２輪軸３２の車軸は、それぞれ曲線中心を向くように傾斜し、これにより鉄道車両の曲線通過性能が向上する。
【００３５】
なお、第１軸梁５３及び第２軸梁５４は、いずれも弾性部材２３を介して台車枠１０に連結されている。そのため、第１軸梁５３及び第２軸梁５４は、台車枠１０に対して車両長手方向に変位することができる。ただし、上記のとおり、弾性部材２３は、第１軸梁５３及び第２軸梁５４の台車枠１０に対する車両幅方向の変位許容量が、車両長手方向の変位許容量よりも小さくなるように構成されている。そのため、第１軸梁５３及び第２軸梁５４の台車枠１０に対する車両幅方向の変位は抑制される。
【００３６】
また、操舵台車１００が左カーブを通過する際、各輪軸３１、３２及び台車枠１０には右方向の遠心力が加わる。このとき、各輪軸３１、３２の右方への移動はレールにより抑制される。また、本実施形態では、台車枠１０と各輪軸３１、３２は各軸梁５３、５４を介して連結されているため、台車枠１０の右方への移動は各軸梁５３、５４を介して各輪軸３１、３２によって抑制される。よって、本実施形態によれば、台車枠１０が各輪軸３１、３２に対して車幅方向に変位しにくいことから、台車枠１０と各輪軸３１、３２の間に位置するリンク機構７０に大きな負荷がかかるのが抑えられる。そのため、リンク機構７０を軽量かつ簡素に形成することができる。
【００３７】
さらに、本実施形態では、リンク機構７０を構成する第１連結リンク７１、第１テコ部材７２、第２連結リンク７３、及び第２テコ部材７４が、台車枠１０の車両長手方向中央部分を避けるようにして配置されるため、台車枠１０の車両長手方向中央部分には種々の機器や配線を配置するためのスペースを確保することができ、設計自由度が向上する。
【００３８】
（第２実施形態）
次に、第２実施形態に係る操舵台車２００について説明する。図４は第２実施形態に係る操舵台車２００の左側面図であり、図５は左側の第１軸梁５３の断面図である。本実施形態に係る操舵台車２００は、インナーフレーム台車であり、かつ、ボルスタレス台車である点で第１実施形態に係る操舵台車１００と構成が異なる。それ以外は、第１実施形態に係る操舵台車１００と基本的に同じ構成を備えている。
【００３９】
上記のように、本実施形態に係る操舵台車２００はいわゆるインナーフレーム台車であり、側梁１１、第１軸箱４１、第２軸箱４２、第１軸箱支持装置５１、及び第２軸箱支持装置５２が、車輪３４よりも車両幅方向内側に位置している。さらに、リンク機構７０は、側梁１１よりも車両幅方向内側に位置している。よって、図５に示すように、リンク機構７０に連結するリンク連結部５６は、台車枠連結部５５に対して車幅方向内側にオフセットした位置に配置されている。
【００４０】
また、上記のように、本実施形態に係る操舵台車２００は、台車枠１０と車体１０１を空気バネ１５により直結するボルスタレス台車であって、枕梁１３を備えていない。そのため、本実施形態では、第１連結リンク７１及び第２連結リンク７３は、車体１０１の下面から下方に突出する連結リンク受部材７９を介して車体１０１に連結されている。本実施形態に係る操舵台車２００は以上のように構成されているが、第１実施形態の場合と同様にして第１輪軸３１及び第２輪軸３２を操舵することができ、また、リンク機構７０に大きな負荷がかかるのが抑えられることでリンク機構７０を軽量かつ簡素に形成することができる。
【００４１】
なお、一般的に、インナーフレーム台車にリンク機構を適用すると、横梁の形状によっては横梁とリンク機構が干渉するおそれがある。しかしながら、本実施形態ではリンク機構７０を構成する第１連結リンク７１、第１テコ部材７２、第２連結リンク７３、及び第２テコ部材７４が、台車枠１０の車両長手方向中央部分を回避するようにして配置されているため、リンク機構７０が横梁１２と干渉することはない。
【００４２】
（第３実施形態）
次に、第３実施形態に係る操舵台車３００について説明する。図６は、第３実施形態に係る操舵台車３００の左側面図である。本実施形態に係る操舵台車３００は、板バネ台車である点で第１実施形態に係る操舵台車１００と構成が異なる。それ以外は、第１実施形態に係る操舵台車１００と基本的に同じ構成を備えている。
【００４３】
本実施形態に係る操舵台車３００は、台車枠１０を支持する板バネ２５を備えている。板バネ２５は、第１実施形態で説明した側梁１１及びコイルバネ４４の機能を併せもつ部材であって、車両長手方向に延び、車両長手方向端部が第１軸箱４１及び第２軸箱４２に支持されている。
【００４４】
また、本実施形態の台車枠１０は、横梁１２と、受け座２６と、を有している。横梁１２は、車両幅方向に延びており、車両幅方向両端部分が板バネ２５に支持されている。受け座２６は、左右の板バネ２５の車両幅方向両側に向かい合うように配置された板状の部材であり、上方部分が横梁１２の車両幅方向端部に固定されている。
【００４５】
本実施形態では、第１支持ブラケット１９は、受け座２６の下端に設けられており、第１実施形態と同様に、第１テコ部材７２の下端部を回動可能に支持している。第２支持ブラケット２０は、受け座２６の側面に設けられており、第１実施形態と同様に、第２テコ部材７４を回動可能に支持している。また、第１軸梁５３及び第２軸梁５４は、弾性部材２３を介して、向かい合う受け座２６を渡すように設けられた回動軸２１（図３参照）に連結されている。
【００４６】
本実施形態に係る操舵台車３００は以上のように構成されているが、第１実施形態の場合と同様にして、第１輪軸３１及び第２輪軸３２を操舵できるとともに、リンク機構７０に大きな負荷がかかるのが抑えられることでリンク機構７０を軽量かつ簡素に形成することができ、また、台車枠１０の車両長手方向中央部分にスペースを確保することができて設計の自由度が向上する。
【００４７】
（第４実施形態）
次に、第４実施形態に係る操舵台車４００について説明する。図７は、第４実施形態に係る操舵台車４００の左側面図である。本実施形態に係る操舵台車４００は、インナー台車であり、かつ、ボルスタレス台車である点で、第３実施形態に係る操舵台車３００と構成が異なる。それ以外は、第３実施形態に係る操舵台車３００と基本的に同じ構成を備えている。
【００４８】
上記のように、本実施形態に係る操舵台車４００はいわゆるインナーフレーム台車であり、板バネ２５、受け座２６、第１軸箱４１、第２軸箱４２、第１軸箱支持装置５１、及び、第２軸箱支持装置５２が、車輪３４よりも車両幅方向内側に位置している。さらに、リンク機構７０は、受け座２６よりも車両幅方向内側に位置している。よって、リンク連結部５６は、台車枠連結部５５に対して車幅方向内側にオフセットした位置に配置されている（図５参照）。
【００４９】
また、上記のように、本実施形態に係る操舵台車４００は、台車枠１０と車体１０１を空気バネ１５により直結するボルスタレス台車であって、枕梁１３を備えていない。そのため、本実施形態では、第１連結リンク７１及び第２連結リンク７３は、車体１０１の下面から下方に突出する連結リンク受部材７９を介して車体１０１に連結されている。本実施形態に係る操舵台車４００は以上のように構成されているが、第１実施形態の場合と同様にして第１輪軸３１及び第２輪軸３２を操舵することができるとともに、リンク機構７０に大きな負荷がかかるのが抑えられ、また、台車枠１０の側部にスペースを確保することができる。
【００５０】
以上、第１実施形態乃至第４実施形態について説明した。以上で説明した操舵台車１００〜４００は、第１輪軸３１及び第２輪軸３２の両方を操舵するように構成されているが、一方のみを操舵するように構成されていてもよい。この場合であっても、第１輪軸３１及び第２輪軸３２のうちの一方の車軸３３を曲線中心に向くよう傾斜させることができるため、曲線通過性能を向上させることができる。
【００５１】
（効果等）
以上のとおり、実施形態に係る操舵台車は、枕梁を介して又は枕梁を介さずにヨーイング方向に車体を回動可能に支持する台車枠と、車幅方向に沿って延びる車軸及び車軸の両側に設けられた車輪をそれぞれ有し、車両長手方向に離間して配置される一対の輪軸と、各車軸を支持する軸受を収容する軸箱と、軸箱から延びて、弾性部材を介して台車枠に連結される軸梁を有する軸箱支持装置と、車体に対する台車枠の回動に連動し、軸梁を介して軸箱を変位させることで少なくとも一方の輪軸を操舵するリンク機構と、を備え、リンク機構は、台車枠の車両長手方向中央よりも軸箱寄りに配置されるテコ部材と、テコ部材よりも台車枠の車両長手方向中央寄りに配置される連結リンクと、を有し、連結リンクは、枕梁又は車体とテコ部材とを連結し、テコ部材は、連結リンク及び軸梁に連結されて、台車枠に支持された支点部を中心に回動して輪軸を操舵する。
【００５２】
そのため、テコ部材を軸箱寄りに配置することができるとともに、連結リンクを比較的高い位置に配置することができる。そのため、支点から力点までの距離を長くすることができるので、リンク機構に作用する荷重を低減することができ簡素な構造とすることができる。また、他の構成部品等が配置されやすい台車枠の側部中央付近を回避するようにして、リンク機構の構成部材であるテコ部材と連結リンクを配置することができる。そのため、リンク機構と他の構成部品等が干渉しにくくなる。
【００５３】
また、第３実施形態及び第４実施形態では、台車枠の車幅方向両端部を支持した状態で車両長手方向に延びて、その車両長手方向両端部が軸箱に支持された板バネを備える。このように、操舵台車が板バネ台車であっても、上述したリンク機構の構成を維持することができ、この場合リンク機構と他の構成部品等が干渉しにくくなる。
【００５４】
また、上記の実施形態に係る操舵装置では、一対の輪軸は、車両の車両長手方向中央寄りに位置する第１輪軸と、車両の車両長手方向端部寄りに位置する第２輪軸と、を有し、リンク機構は、第１輪軸を操舵し、連結リンクは、車両長手方向に沿って延び、テコ部材は、上下方向に沿って延びており、その上端部が連結リンクに連結され、その下端部が支点部として台車枠に支持されており、上端部と下端部との間で第１輪軸に対応する軸梁に連結されている。このように構成することで、上記の作用効果を奏しつつ、車両の車両長手方向中央寄りに位置する第１輪軸を操舵することができる。
【００５５】
また、上記の実施形態に係る操舵装置では、一対の輪軸は、車両の車両長手方向中央寄りに位置する第１輪軸と、車両の車両長手方向端部寄りに位置する第２輪軸と、を有し、リンク機構は、第２輪軸を操舵し、連結リンクは、車両長手方向に沿って延び、テコ部材は、上下方向に沿って延びており、その上端部が連結リンクに連結され、その下端部が第２輪軸に対応する軸梁に連結され、上端部と下端部との間の部分が支点部として台車枠に支持されている。このように構成することで、上記の作用効果を奏しつつ、車両の車両長手方向端部寄りに位置する第２輪軸を操舵することができる。
【００５６】
また、第２実施形態及び第４実施形態では、リンク機構は、車輪よりも車幅方向内側に配置されている。この場合、リンク機構と横梁の干渉が問題となるところ、リンク機構の構成部材が横梁を回避するようにして配置することができるため、リンク機構と横梁が干渉することはない。また、側梁の車両幅方向外側は、構成部材が存在しないので、機器配置に対する設計自由度が向上する。
【００５７】
また、上述した実施形態では、軸梁は、リンク機構に連結部材を介して連結されるリンク連結部と、台車枠に弾性部材を介して回動軸周りに回動可能に連結される台車枠連結部と、を有し、連結部材は、回動軸と同心で、かつ車幅方向にオフセットした位置に配置される。つまり、台車枠と車軸はリンク機構のみならず軸梁によっても連結されることになるため、台車枠は輪軸に対する変位が抑制され、リンク機構に加わる荷重を抑えることができる。また、連結部材及び弾性部材は互いに同心となるように配置されているため、軸梁による台車枠と車軸の連結が、リンク機構による操舵動作の妨げになることはない。
【符号の説明】
【００５８】
１０  台車枠
１３  枕梁
２３  弾性部材
２５  板バネ
３１  第１輪軸
３２  第２輪軸
３３  車軸
３４  車輪
４１  第１軸箱
４２  第２軸箱
４３  軸受
５１  第１軸箱支持装置
５２  第２軸箱支持装置
５３  第１軸梁
５４  第２軸梁
５５  台車枠連結部
５６  リンク連結部
５８  連結部材
７０  リンク機構
７１  第１連結リンク
７２  第１テコ部材
７３  第２連結リンク
７４  第２テコ部材
７６  第１支点部
７８  第２支点部
１００、２００、３００、４００  操舵台車
１０１  車体
【図１】
0006510807.tif 000002
【図２】
0006510807.tif 000003
【図３】
0006510807.tif 000004
【図４】
0006510807.tif 000005
【図５】
0006510807.tif 000006
【図６】
0006510807.tif 000007
【図７】
0006510807.tif 000008